(57)【要約】【課題】子供の安否を確認するため、小型ＧＰＳセキュリティ携帯電話がある、しかしながら、既存のセキュリティ携帯電話には誘拐犯等悪意のある他人が該携帯電話の設定を変更してしまい、セキュリティが喪失してしまう恐れがあった。本発明はセキュリティ携帯電話の設定を保護する方法を実現する。【解決の手段】小型ＧＰＳセキュリティ携帯電話にファイル・システムを作成する。ファイル・システムには非表示属性と保護属性を持たせる。非表示属性を持つ特定のファイルがファイル・システム上に存在する時は管理モードとなり全ての操作が実行できる。特定の非表示ファイルが存在しない時は保護モードとなる。保護モードにおいて、保護属性のあるファイルを表示、編集しようとすると、あらかじめ管理モードで登録された相手に許諾を求める通信を行う。一定時間内に応答すると変更が可能になる。このようにして小型ＧＰＳセキュリティ携帯の設定のセキュリティを向上させることができるようになった。【選択図】なし【特許請求の範囲】
【請求項１】
小型ＧＰＳセキュリティ携帯電話にファイル・システムを構築し、外部機器と接続した時ファイル・システムと認識させ、特定のファイルを非表示にし、そのファイルの存在の有無を持ってセキュリティ・モードの変更を可能にしたり、その特定のファイルに特定情報を記録させたりして、設定のセキュリティを高めた、ファイル・システムによる小型ＧＰＳセキュリティ携帯電話の設定のセキュリティ保護方法。
【請求項２】
小型ＧＰＳセキュリティ携帯電話にファイル・システムを構築し、外部機器と接続した時ファイル・システムと認識させ、特定のファイルに保護属性を設定し、該ファイルを開いたり編集したりしようとすると、登録済みの特定の相手に通信し、特定の相手よりの許諾通信を持ってはじめて表示や編集を可能とすることにより、設定のセキュリティを高めた、ファイル・システムによる小型ＧＰＳセキュリティ携帯電話の設定のセキュリティ保護方法。
【請求項３】
小型通信機器にファイル・システムを構築し、外部機器と接続した時ファイル・システムと認識させ、特定のファイルを非表示にし、そのファイルの存在の有無を持ってセキュリティ・モードの変更を可能にしたり、その特定のファイルに特定情報を記録させたりして、設定のセキュリティを高めた、ファイル・システムによる小型通信機器の設定のセキュリティ保護方法。
【請求項４】
小型通信機器にファイル・システムを構築し、外部機器と接続した時ファイル・システムと認識させ、特定のファイルに保護属性を設定し、該ファイルを開いたり編集したりしようとすると、登録済みの特定の相手に通信し、特定の相手よりの許諾通信を持ってはじめて表示や編集を可能とすることにより、設定のセキュリティを高めた、ファイル・システムによる小型通信機器の設定のセキュリティ保護方法。
【発明の詳細な説明】
【技術分野】
【０００１】本発明は小型ＧＰＳセキュリティ携帯電話の設定に関するセキュリティの確保に係わる。
【背景技術】
【０００２】幼稚園児や小学生のセキュリティ確保のためＧＰＳセキュリティ携帯電話が知られている。例えば、一定時間間隔で所在地座標を送信している。小型であることが求められるため、腕時計型ＧＰＳセキュリティ携帯が考えられている。これらの携帯電話は小型であるためボタンの数が限られ、例えば、ボタンの数が２個のものなどが提案されている。【０００３】一方、また、パソコン等では既に外部機器をファイル・システムとして認識する技術が確立している。例えば、ＵＳＢ接続の小型メモリーや外部ハードディスクである。
【発明の開示】
【発明が解決しようとする課題】
【０００４】小型ＧＰＳセキュリティ携帯の設定は、ボタンの数が少ないため、通常外部の機器に接続し、外部機器から設定している。子供のセキュリティ確保が目的であるため、父親や母親などは設定を変えることができなければならない。また、携帯電話のメーカーは自由に設定を変更できなければならない。一方、誘拐犯や他人は設定を変更できてはならない。既存の携帯電話などは暗証番号などで重要な項目のセキュリティを確保している。一方、例えば２つボタンの小型ＧＰＳセキュリティ携帯では暗証番号などの直接入力が困難であり、メーカーや父親や母親の要求を満たす、平易な操作で強固なセキュリティを確保できる方法が求められていた。また、接続した外部機器から暗証番号やパスワードを入力することも考えられるが、一般的に暗証番号は４桁であり総当り法で解読される恐れがあったり、パスワードや暗証番号は漏洩する恐れがあったりするので、セキュリティ携帯には適切ではなかった。
【課題を解決するための手段】
【０００５】本発明では、小型ＧＰＳセキュリティ携帯を外部機器に接続した時にファイル・システムとして認識される。説明のため、よく知られているＷｉｎｄｏｗｓ（登録商標）のＦＡＴファイル・システムを用いるが、本発明は任意のファイル・システムで実現可能である。【０００６】携帯側では、例えばＦＡＴで、読み取り専用属性と隠しファイル属性を持つ。隠しファイル属性を持つファイルは外部機器で表示できないようにする。読み取り専用属性を例えば保護属性と読み替え、保護属性を持つファイルは外部機器から一定の決められた操作をしない限り、読み取りも、変更もできないようにする。【０００７】具体的には例えば、隠しファイル名、”ａｄｍｉｎ．ｔｘｔ”ファイルがファイル・システムに存在する時、あるいは作成された時、管理モードとなり全ての操作ができるようになる。これは専用ソフトで自動的に行われる。ここで、ファイル名及びディレクトリの階層は任意でよく実装者の選択による。このファイル及びディレクトリの階層は非表示であり、メーカーのオペレータにも分からない。よって、管理モードのファイル階層を知る、メーカー開発の特定のソフトのみが管理モードを実施することができる。しかも、メーカーのオペレータはキーを知ることは無いのでセキュリティが高い。管理ツールを終了する時、該ファイルは管理ソフトにより自動的に抹消さ、保護されたモードに入る。【０００８】管理モードでは父親及び母親の電話番号を自由に編集できるが、保護モードでは編集のセキュリティが確保される。ここでは説明のためそれぞれ、“ｆ．ｔｘｔ”，“ｍ，ｔｘｔ”ファイルとする。これらのファイルは保護属性が指定されている。ファイルの形式は実装者の任意の選択によるが、ここでは単純なテキスト・ファイルで、携帯の電話番号、メール・アドレス、表示文字、許可パスワードがクリア・テキスト、カンマセパレートで記述されているとする。例えば、
“ｆ．ｔｘｔ”：０９０−１１１１−１１１１，ｆａｔｈｅｒ＠ｊａｐａｎ．ｊｐ，父親，ｍｙＰａｓｓｗｏｒｄ
“ｍ．ｔｘｔ”：０８０−２２２２−２２２２，ｍｏｔｈｅｒ＠ｊａｐａｎ．ｊｐ，母親，ｍｏｔｈｅｒｓＰＷＤ
となっている。なお、もちろんこれらのファイルは暗号化しても良い。ファイル・システムはｆ．ｔｘｔまたはｍ．ｔｘｔが開かれようとすることを検知するとメール・アドレスに許可許諾請求のメールを発信する。父親または母親は指定時間内に許可許諾のメールを返信する。メールにはパスワードを含ませても良い。ファイル・システムは許可の許諾を受け取った時に限り内容を表示し編集を許可しても良い。これによりセキュリティを確保しながら編集ができる。また、セキュリティ確保のため隠しファイルや、保護ファイルのコピーはプロテクトされてよい。
【発明の効果】
【０００９】本発明はこのような構造であるので小型ＧＰＳセキュリティ携帯電話の設定が容易に保護されると共に、管理者、及び父親、母親は設定を容易に変更できる。
【発明を実施するための最良の形態】
【実施例】
【００１０】ファイル・システムとして一般に広く用いられているＷｉｎｄｏｗｓのＦＡＴとする。ＦＡＴの読み取り専用属性をここでは保護属性と呼ぶ。携帯側のファイル・システム管理部分は保護属性の無い非表示属性を持つのファイルの読み書きや抹消を全てのモードで許諾してよい。父親や母親やその他の予約されている登録先、例えば警察、警備会社、知人など、の登録ファイルには保護属性を設定できる。ファイル・システム管理部分は非表示ファイルを表示しない。【００１１】特定の非表示ファイル、ここではディレクトリの階層を含めて特定のファイルと呼ぶ、がファイル・システム上に存在する時、ファイル・システムは管理モードになる。特定のファイルが存在しない時にファイル・システムは保護モードとなる。特定のファイルの定義は任意であるし、また、特定のファイルに情報を記録しても良いし、暗号化しても良い。【００１２】ファイル・システムを外部機器に接続した時、特定のファイルの存在は不定であるので、メーカー側の管理ソフトは最初にメーカーの開発者だけが知っている非表示の特定ファイルを強制的に書き込むことができる。これによりメーカー側のソフトは管理モードにいつでも入れる。メーカーはメンテナンス可能である。しかしながら、メーカーのエンドユーザ担当者には非表示ファイルは見えない。よって、パスワードや暗証番号のように漏洩することは無い。管理モードではファイル・システムは自由なアクセスを許可するのでメンテナンス可能である。メンテナンスを終了すると管理ソフトは特定の非表示ファイルを削除してよい。これによって保護モードに入る。【００１３】保護モードにおいては保護属性を持つファイルを一定の手続きで表示、編集することができる。例えば、ここでは、管理モードにおいて父親と母親の連絡先を保護属性を持つファイルに登録しておくとする。保護属性を持つ該ファイルを開こうとするとファイル・システム管理部分は父親または母親の連絡先、通常は携帯電話、に通信しアクセス許可を求める。父親または母親は一定時間内に許諾を行うことができる。これには、例えば、メールの返信でもよく、通話中の暗証番号でもよく、いずれにせよ、許可の通信が成り立てばよい。これにより、父母は設定の変更に関してセキュリティを確保できる。【００１４】また、ファイル・システム管理部分はセキュリティ向上のためファイルのコピーを拒否することができる。【００１５】本発明は小型ＧＰＳセキュリティ携帯電話に限らず任意の小型通信機器に適応できる。
【産業上の利用可能性】
【００１６】本発明は小型ＧＰＳセキュリティ携帯電話の設定のセキュリティを向上できるので、既に提案されている技術、例えば、携帯電話の取外しセンサーなどと組み合わせることにより、幼稚園児や小学生のセキュリティが向上するので、不良行為や誘拐事件など、犯罪の防止に役立つ。